(57)【特許請求の範囲】
【請求項１】
交流電源から所定の出力電圧を出力する整流平滑回路を有するコンデンサインプット型の電源装置であって、
前記交流電源と前記整流平滑回路における前記出力電圧の出力部との間に設けられた高調波電流抑制用のリアクタと、
前記交流電源と前記整流平滑回路における前記出力電圧の出力部との間を前記リアクタを経由せずに接続可能とするリアクタバイパス経路と、
前記交流電源と前記整流平滑回路における前記出力電圧の出力部との間において、前記交流電源からの電流が前記リアクタバイパス経路を通過可能な第１状態か、前記交流電源からの電流が前記リアクタバイパス経路を通過不能かつ前記リアクタを通過可能な第２状態か、を切り替える切替回路と、を備え、
前記切替回路は、
前記出力電圧の出力部に並列に接続されたコイル部と、
前記リアクタバイパス経路上に設けられ、前記リアクタバイパス経路を閉成状態と開放状態との間で切り替えるスイッチと、を備え、
前記スイッチは、前記コイル部に電流が流れていないときに前記リアクタバイパス経路を閉成状態とし、前記コイル部に電流が流れることによって生じる磁界により前記リアクタバイパス経路を開放状態に切り替えるノーマリクローズタイプのスイッチとして構成され、
前記交流電源がオフの状態からオンの状態となり所定期間経過するまでの間において、前記第１状態に切り替えられている、電源装置。
【請求項２】
前記切替回路が前記第１状態に切り替えられた場合の電流経路上に設けられた抵抗を備えた、請求項１に記載の電源装置。
【請求項３】
前記抵抗は、第１端部が前記リアクタの第１端部に接続され、
前記切替回路は、前記リアクタの前記第１端部および前記抵抗の前記第１端部に接続された第１接点と、前記リアクタの第２端部に接続された第２接点と、前記抵抗の第２端部に接続された第３接点と、を備え、前記第１接点と前記第２接点とが接続されることにより前記第１状態となり、前記第１接点と前記第３接点とが接続されることにより前記第２状態となるように構成されている、請求項２に記載の電源装置。
【請求項４】
前記抵抗は、前記リアクタに並列に接続され、
前記切替回路は、前記抵抗に直列かつ前記リアクタに並列に接続され、前記抵抗を通過する電流経路上の２つの接点間を接続または遮断するように構成されている、請求項２に記載の電源装置。
【請求項５】
請求項１から４の何れかに記載の電源装置を備えた、給湯装置。
【発明の詳細な説明】
【技術分野】
【０００１】
本発明は、電源装置およびそれを備えた給湯装置に関する。
【背景技術】
【０００２】
給湯装置等の電気機器のための電源装置に、ダイオードブリッジおよびコンデンサを用いたコンデンサインプット型の整流平滑回路を用いる構成が知られている。このような構成においては、商用電源等からの交流電力がダイオードブリッジで整流され、ダイオードブリッジの出力側端子に接続されるコンデンサ（平滑用コンデンサ）に整流された電流が流れるとともに電圧が印加される。このようなコンデンサインプット型の電源装置においては、整流平滑回路により入力電流の導通角が狭くなり、力率が低下し、高調波電流が発生し易い。高調波電流は電源装置自体または電源装置に接続される機器の誤動作を引き起こす原因になり得るため、これを抑制することが望まれる。
【０００３】
高調波電流の抑制には、例えば力率改善回路（ＰＦＣ回路）が用いられることがあるが、より簡単な構成として、平滑用コンデンサの前段部にリアクタを挿入して入力電流の導通角を広げる構成が知られている（例えば特許文献１，２等参照）。
【先行技術文献】
【特許文献】
【０００４】
【特許文献１】特開２００９−２７３３３５号公報
【特許文献２】特開２０１４−１０５９７４号公報
【発明の概要】
【発明が解決しようとする課題】
【０００５】
しかし、リアクタを用いた構成の場合、電源投入時に突入電流等の通常より大きい電流がリアクタに流れると、リアクタにおいて当該通常より大きい電流に基づく誘導起電力が発生することにより、整流平滑回路に印加される電圧が過渡的に上昇する問題がある。整流平滑回路に印加される電圧が過渡的に上昇すると、当該整流平滑回路の耐圧をリアクタにより上昇される電圧の値を上回るように設定する必要があり、高耐圧の素子を使用する、または、高電圧が印加されないような回路構成とする等、余計なコストが生じてしまう。上記引用文献１，２の何れにおいても、リアクタにより整流平滑回路に高電圧が印加されることへの対策については開示も示唆もされていない。
【０００６】
本発明は、以上のような課題を解決すべくなされたものであり、簡単な構成で、高調波電流を抑制しつつ、電源投入時における整流平滑回路に印加される電圧の上昇を抑制することができる、電源装置およびこれを備えた給湯装置を提供することを目的とする。
【課題を解決するための手段】
【０００７】
本発明の一態様に係る電源装置は、交流電源から所定の出力電圧を出力する整流平滑回路を有するコンデンサインプット型の電源装置であって、前記交流電源と前記整流平滑回路における前記出力電圧の出力部との間に設けられた高調波電流抑制用のリアクタと、前記交流電源と前記整流平滑回路における前記出力電圧の出力部との間を前記リアクタを経由せずに接続可能とするリアクタバイパス経路と、前記交流電源と前記整流平滑回路における前記出力電圧の出力部との間において、前記交流電源からの電流が前記リアクタバイパス経路を通過可能な第１状態か、前記交流電源からの電流が前記リアクタバイパス経路を通過不能かつ前記リアクタを通過可能な第２状態か、を切り替える切替回路と、を備え、前記切替回路は、前記交流電源がオフの状態からオンの状態となり所定期間経過するまでの間において、前記第１状態に切り替えられているように構成される。
【０００８】
上記構成によれば、交流電源と、整流平滑回路における出力電圧の出力部との間に、高調波電流抑制用のリアクタと、リアクタバイパス経路とが設けられる。そして、交流電源がオフの状態において、交流電源からの電流がリアクタバイパス経路を通過可能な第１状態に切り替えられる。このため、交流電源がオフの状態からオンの状態となり、突入電流等の通常より大きい電流が流れる可能性がある場合には、当該電流がリアクタを通過することが抑制され、当該リアクタによって過大な電圧が生じることが防止される。したがって、簡単な構成で、高調波電流を抑制しつつ、電源投入時における整流平滑回路に印加される電圧の上昇を抑制することができる。
【０００９】
前記電源装置は、前記切替回路が前記第１状態に切り替えられた場合の電流経路上に設けられた抵抗を備えてもよい。この場合、交流電源がオフの状態からオンの状態となり、突入電流等の通常より大きい電流が整流平滑回路に入力されることを当該電流経路上に設けられた抵抗により抑制することができる。
【００１０】
前記抵抗は、第１端部が前記リアクタの第１端部に接続され、前記切替回路は、前記リアクタの前記第１端部および前記抵抗の前記第１端部に接続された第１接点と、前記リアクタの第２端部に接続された第２接点と、前記抵抗の第２端部に接続された第３接点と、を備え、前記第１接点と前記第２接点とが接続されることにより前記第１状態となり、前記第１接点と前記第３接点とが接続されることにより前記第２状態となるように構成されてもよい。この場合、電源投入時の突入電流等の通常より大きい電流の抑制と、定常時における高調波電流の抑制とを行う構成を１つの切替回路を用いた簡単な構成で実現することができる。
【００１１】
前記抵抗は、前記リアクタに並列に接続され、前記切替回路は、前記抵抗に直列かつ前記リアクタに並列に接続され、前記抵抗を通過する電流経路上の２つの節点間を接続または遮断するように構成されてもよい。
【００１２】
また、本発明の他の一態様に係る給湯装置は、上記構成の電源装置を備えている。
【発明の効果】
【００１３】
一態様によれば、簡単な構成で、高調波電流を抑制しつつ、電源投入時における整流平滑回路に印加される電圧の上昇を抑制することができるという効果を奏する。
【図面の簡単な説明】
【００１４】
【図１】図１は実施の形態１に係る電源装置の概略構成を示す回路図である。
【図２】図２は実施の形態２に係る電源装置の概略構成を示す回路図である。
【図３】図３は実施の形態３に係る電源装置の概略構成において第１状態を示す回路図である。
【図４】図４は実施の形態３に係る電源装置の概略構成において第２状態を示す回路図である。
【図５】図５は実施の形態４に係る電源装置の概略構成を示す回路図である。
【図６】図６は本実施の形態における電源装置が適用される給湯装置の一例を示す作動原理図である。
【図７】図７は本実施の形態における電源装置が適用される給湯装置の他の一例を示す作動原理図である。
【発明を実施するための形態】
【００１５】
以下、本発明の実施の形態を、図面を参照しながら説明する。なお、以下では全ての図を通じて同一又は相当する要素には同一の参照符号を付して、その重複する説明を省略する。
【００１６】
［実施の形態１］
図１は実施の形態１に係る電源装置の概略構成を示す回路図である。図１に示すように、本実施の形態における電源装置１０は、交流電源１から入力される交流電流を整流する整流平滑回路を備えている。交流電源１は電源が投入される（オフ状態からオン状態に切り替えられる）ことにより、商用電源からの交流電力（交流電圧１００Ｖ）を出力する。整流平滑回路２は、交流電源１から交流電流が入力される交流入力部３１と、交流入力部３１から入力される交流電流を整流して出力する直流出力部３２とを有するブリッジダイオード３と、ブリッジダイオード３の直流出力部３２の両端に接続される平滑コンデンサ４とを備えている。このように、電源装置１０は、交流電源１から所定の出力電圧を出力する整流平滑回路２を有するコンデンサインプット型の電源装置として構成されている。ブリッジダイオード３は、１パッケージの部品であってもよいし、４つの個別のダイオードが組み合わせられて構成されたものであってもよい。
【００１７】
平滑コンデンサ４の両端部には、平滑コンデンサ４により出力される第１出力電圧Ｖ１を別の第２出力電圧Ｖ２に変換するコンバータ（ＤＣ−ＤＣコンバータ）５の入力部が接続される。例えばコンバータ５は降圧コンバータとして構成され、第１出力電圧Ｖ１（例えば１４１Ｖ）を当該第１出力電圧Ｖ１より低い第２出力電圧Ｖ２（例えば１５Ｖ）に降圧する。コンバータ５の出力部には、コンバータ５により変換された第２出力電圧Ｖ２が印加される出力コンデンサ６が接続されている。
【００１８】
さらに、電源装置１０は、高調波電流抑制用のリアクタ７を備えている。リアクタ７は、交流電源１と整流平滑回路２における出力電圧の出力部（すなわち、平滑コンデンサ４）との間に設けられている。さらに、電源装置１０は、交流電源１と整流平滑回路２における出力電圧の出力部との間をリアクタ７を経由せずに接続可能とするリアクタバイパス経路８を備えている。より具体的には、リアクタ７およびリアクタバイパス経路８は、交流電源１とブリッジダイオード３の交流入力部３１との間に設けられている。
【００１９】
さらに、電源装置１０は、交流電源１と整流平滑回路２における出力電圧の出力部との間において、交流電源１からの電流がリアクタバイパス経路８を通過可能な第１状態か、交流電源１からの電流がリアクタバイパス経路８を通過不能かつリアクタ７を通過可能な第２状態か、を切り替える切替回路９を備えている。本実施の形態において、切替回路９は、リアクタバイパス経路８上に接点部９ａが設けられたリレーとして構成される。
【００２０】
切替回路９は、交流電源１がオフの状態からオンの状態となり所定期間経過するまでの間において、第１状態に切り替えられているように構成される。本実施の形態において、切替回路９の接点部９ａは、両端に設けられた２つの接点の間を開閉するスイッチとして構成される。当該接点部９ａは、通常時において接点間を閉成するノーマリクローズタイプ（Ｂ接点）のスイッチとして構成される。さらに、切替回路９は、出力コンデンサ６に並列に接続されたコイル部９ｂを備えている。図面上では接点部９ａとコイル部９ｂとは離れた位置に示されているが、接点部９ａは、コイル部９ｂに流れる電流の有無に基づいて動作する。
【００２１】
交流電源１がオフ状態にあるとき接点部９ａは閉成されている。交流電源１がオフ状態からオン状態となり、出力コンデンサ６に印加される第２出力電圧Ｖ２が立ち上がることにより、コイル部９ｂに電流が流れ、磁界を発生させる。接点部９ａは、当該コイル部９ｂにより発生した磁界によって開放するように動作する。接点部９ａは、コイル部９ｂによる磁界が発生していない場合には閉成状態となるように付勢されている。したがって、交流電源１がオフ状態となりコイル部９ｂに電流が流れなくなると、接点部９ａは、閉成される。このように、切替回路９は、交流電源１がオフの状態からオンの状態となり所定期間が経過したことを、電源装置１０の出力電圧が立ち上がったことをもって検出し、それに基づいて第１状態から第２状態へ切り替える。
【００２２】
上記構成によれば、交流電源１と、整流平滑回路２における出力電圧の出力部との間に、高調波電流抑制用のリアクタ７と、リアクタバイパス経路８とが設けられる。そして、交流電源１がオフの状態において、交流電源１からの電流がリアクタバイパス経路８を通過可能な第１状態に切り替えられる。このため、交流電源１がオフの状態からオンの状態となり、突入電流等の通常より大きい電流が流れる可能性がある場合には、当該電流がリアクタ７を通過せず、当該リアクタ７によって過大な電圧が生じることが防止される。したがって、簡単な構成で、高調波電流を抑制しつつ、電源投入時における整流平滑回路２に印加される電圧の上昇を抑制することができる。
【００２３】
なお、本実施の形態において、リアクタ７およびリアクタバイパス経路８は、交流電源１の一方の相に設けられているが、他方の相に設けられてもよい。
【００２４】
［実施の形態２］
次に、本発明の実施の形態２について説明する。図２は実施の形態２に係る電源装置の概略構成を示す回路図である。実施の形態２において実施の形態１と同様の構成については同じ符号を付し、説明を省略する。実施の形態２における電源装置１０Ｂが実施の形態１の電源装置１０と異なる点は、リアクタ７およびリアクタバイパス経路８がブリッジダイオード３の直流出力部３２と平滑コンデンサ４との間に接続されていることである。本実施の形態においても、実施の形態１と同様の効果を得ることができる。なお、本実施の形態において、リアクタ７およびリアクタバイパス経路８は、ブリッジダイオード３の直流出力部３２のうちの正極側に設けられているが、負極側（グランド側）に設けられてもよい。
【００２５】
［実施の形態３］
次に、本発明の実施の形態３について説明する。図３および図４は実施の形態３に係る電源装置の概略構成を示す回路図である。図３は第１状態を示し、図４は第２状態を示す。実施の形態３において実施の形態１と同様の構成については同じ符号を付し、説明を省略する。実施の形態３における電源装置１０Ｃが実施の形態１の電源装置１０と異なる点は、切替回路９Ｃが第１状態に切り替えられた場合の電流経路上に抵抗１１が設けられていることである。本実施の形態における抵抗１１は、温度上昇に応じて抵抗値が減少するサーミスタ（パワーサーミスタ）である。
【００２６】
本実施の形態において、抵抗１１は、第１端部１１ａがリアクタ７の第１端部７ａに接続され、切替回路９Ｃは、リアクタ７の第１端部７ａおよび抵抗１１の第１端部１１ａに接続された第１接点９１と、リアクタ７の第２端部７ｂに接続された第２接点９２と、抵抗１１の第２端部１１ｂに接続された第３接点９３と、を備えた接点部を備えている。本実施の形態において、切替回路９Ｃは、Ｃ接点式リレーにより構成される。
【００２７】
切替回路９Ｃは、第１接点９１と第２接点９２とが接続されることにより第１状態（図３）となり、第１接点９１と第３接点９３とが接続されることにより第２状態（図４）となる。具体的には、交流電源１がオフ状態にあるとき、第１接点９１と第２接点９２とが接続されている。すなわち、交流電源１からの電流が、抵抗１１、第１接点９１、第２接点９２およびブリッジダイオード３の交流入力部３１を順に流れる。この電流経路は、抵抗１１を通り、リアクタ７をバイパスするリアクタバイパス経路８Ｃを構成する。交流電源１がオフ状態からオン状態となり、出力コンデンサ６に印加される第２出力電圧Ｖ２が立ち上がることにより、コイル部９ｂに電流が流れ、磁界を発生させる。切替回路９Ｃは、当該コイル部９ｂにより発生した磁界によって第１接点９１と第３接点９３とが接続するように動作する。これにより、交流電源１からの電流が、第３接点９３、第１接点９１、リアクタ７およびブリッジダイオード３の交流入力部３１を順に流れる。この電流経路は、リアクタ７を通り、抵抗１１をバイパスする抵抗バイパス経路１２を構成する。
【００２８】
切替回路９Ｃは、コイル部９ｂによる磁界が発生していない場合には第１接点９１と第２接点９２とが接続されるように付勢されている。したがって、交流電源１がオフ状態となりコイル部９ｂに電流が流れなくなると、切替回路９Ｃは、第１接点９１と第２接点９２とが接続される。
【００２９】
このように、交流電源１の電源投入後の所定期間において切替回路９Ｃが第１状態となることにより、交流電源１からの電流が抵抗１１に流れ、突入電流等の通常より大きい電流が抑制される。この際、リアクタ７には電流が流れないため、当該リアクタ７によって過大な電圧が生じることが防止される。また、所定期間後の電流が安定している状態においては、切替回路９Ｃが第２状態となることにより、交流電源１からの電流がリアクタ７に流れ、高調波電流が抑制される。この際、抵抗１１には電流が流れないため、抵抗１１の温度上昇を抑制することができる。このような電源投入時の突入電流等の通常より大きい電流の抑制と、定常時における高調波電流の抑制とを行う構成を１つの切替回路を用いた簡単な構成で実現することができる。これにより、部品点数を削減することができ、電源装置１０を基板に実装する際に、基板面積を小さくすることができる。
【００３０】
なお、本実施の形態においては、リアクタ７、抵抗１１および切替回路９Ｃが交流電源１の一方の相に設けられているが、他方の相に設けられてもよい。また、本実施の形態においては、リアクタ７、抵抗１１および切替回路９Ｃが交流電源１とブリッジダイオード３の交流入力部３１との間に設けられているが、ブリッジダイオード３の直流出力部３２と平滑コンデンサ４との間に設けられてもよい。この場合も、これらの構成は、ブリッジダイオード３の直流出力部３２のうちの正極側に設けられてもよいし、負極側（グランド側）に設けられてもよい。
【００３１】
［実施の形態４］
次に、本発明の実施の形態４について説明する。図５は実施の形態４に係る電源装置の概略構成を示す回路図である。実施の形態４において実施の形態１と同様の構成については同じ符号を付し、説明を省略する。実施の形態４における電源装置１０Ｄが実施の形態１の電源装置１０と異なる点は、実施の形態３と同様の抵抗１１がリアクタバイパス経路８Ｄ上に配設されることである。本実施の形態において、抵抗１１は、切替回路９の接点部９ａに直列に接続される。この結果、抵抗１１は、リアクタ７に並列に接続され、切替回路９の接点部９ａは、抵抗１１に直列かつリアクタ７に並列に接続されている。接点部９ａは、抵抗１１を通過する電流経路（リアクタバイパス経路８Ｄ）上の２つの接点間を接続または遮断するように構成されている。
【００３２】
本実施の形態においても、切替回路９は、実施の形態１と同様に動作する。すなわち、交流電源１がオフ状態にあるとき接点部９ａは閉成されている。交流電源１がオフ状態からオン状態となり、出力コンデンサ６に印加される第２出力電圧Ｖ２が立ち上がることにより、接点部９ａは開放される。本実施の形態においては、交流電源１の電源投入時に、交流電源１からの電流が抵抗１１（リアクタバイパス経路８Ｄ）だけでなくリアクタ７にも流れる可能性がある。しかし、この場合であっても、リアクタバイパス経路８Ｄがない場合に比べてリアクタ７に流れる電流は十分に小さくなるため、リアクタ７で過大な電圧が生じることを抑制することができる。
【００３３】
なお、本実施の形態においては、リアクタ７、抵抗１１および切替回路９の接点部９ａが交流電源１の一方の相に設けられているが、他方の相に設けられてもよい。また、本実施の形態においては、リアクタ７、抵抗１１および切替回路９の接点部９ａが交流電源１とブリッジダイオード３の交流入力部３１との間に設けられているが、ブリッジダイオード３の直流出力部３２と平滑コンデンサ４との間に設けられてもよい。この場合も、これらの構成は、ブリッジダイオード３の直流出力部３２のうちの正極側に設けられてもよいし、負極側（グランド側）に設けられてもよい。
【００３４】
また、本実施の形態においては、切替回路９の接点部９ａとしてノーマリクローズタイプのスイッチが用いられているが、これに代えて、交流電源１とブリッジダイオード３の交流入力部３１との間の電流経路としてリアクタ７を通過させるか抵抗１１を通過させるかを択一的に切り替えるＣ接点タイプのリレーを用いてもよい。この場合、切替回路９は、交流電源１または交流入力部３１に接続される第１接点と、抵抗１１の一端に接続される第２接点と、リアクタ７の一端に接続される第３接点とを有する。
【００３５】
［変形例］
以上、本発明の実施の形態について説明したが、本発明は上記実施の形態に限定されるものではなく、その趣旨を逸脱しない範囲内で種々の改良、変更、修正が可能である。
【００３６】
例えば、上記実施の形態において、切替回路９は、コイル部９ｂを備え、コイルによる磁界の発生に基づいて接点部９ａが切り替えられるリレーとして構成されているが、これに限られず、例えば、コイル部９ｂに代えて、接点部９ａの開閉動作を制御する制御部を備えてもよい。この場合、出力電圧が立ち上がったことを検知して当該検知信号が制御部に入力される。制御部は、検知信号に基づいて接点部９ａを開閉動作させる。この場合、接点部９ａは、半導体スイッチ等で構成されてもよい。
【００３７】
また、交流電源１の電源投入（オフ状態からオン状態への切り替え）は、商用電源に接続するプラグを挿入する、交流電源１と商用電源との接続または遮断を切り替えるスイッチを操作して両者を接続する、漏電ブレーカをオン状態にする等、特に限定されない。
【００３８】
［給湯装置への適用例］
以下、上記電源装置１０，１０Ｂ，１０Ｃ，１０Ｄが適用される給湯装置の例を示す。図６は本実施の形態における電源装置が適用される給湯装置の一例を示す作動原理図である。図６に示す給湯装置２０１は、給湯機能と風呂の追い焚き機能とを備えた多機能型の給湯装置である。給湯装置２０１は、燃料ガスを燃焼する燃焼装置２０２と、燃焼装置２０２へ燃料ガスを供給する燃料ガス供給路２２１と、燃焼装置２０２に空気を供給する送風機２２２と、給湯流路２０３と、追い焚き流路２０４と、追い焚き流路２０４に設けられた風呂ポンプ２４１と、コントローラ２０５とを備えている。さらに、給湯装置２０１は、燃焼装置２０２で生じた潜熱を回収した際に生じたドレンを回収するためのドレン回収機構２０７を備えている。なお、図６においては、給湯経路２０３における、入水温度センサ、出湯温度センサ等の各種センサの図示を省略している。また、図６においては、給湯経路２０３から分岐され、追い焚き流路２０４へ接続される浴槽注湯路、およびその浴槽注湯路に備えられる注湯開閉弁の図示を省略している。
【００３９】
燃焼装置２０２にはバーナ部２２４が設けられており、このバーナ部２２４に燃料ガス供給路２２１から燃料ガスが供給される。燃料ガス供給路２２１には、燃料ガスの供給と遮断とを切り替える元ガス電磁弁２２５と、燃料ガスの供給量を調整するためのガス比例弁２２６とが設けられている。また、バーナ部２２４には、風呂ガス電磁弁２３０、複数の給湯能力切替ガス電磁弁２２８、および給湯ガス電磁弁２２９が設けられている。    
【００４０】
給湯流路２０３は、水道等から送給された水を給水入口２３１から後述する給湯側熱交換部２３３へ送る往路部２３２と、水を燃焼装置２０２で生成された燃焼ガスと熱交換させて加熱する給湯側熱交換部２３３と、湯を給湯側熱交換部２３３から給湯出口２３４へ送る復路部２３５とを形成する配管から構成されている。復路部２３５には、給湯の水量と温度とを調整するために、給湯水量を調整する給湯水量調整弁２３６と、水と湯との混合比率を調整する混合弁２３７が設けられている。
【００４１】
追い焚き流路２０４は、風呂水を戻り口２４２から後述する追い焚き側熱交換部２４４へ送る戻り部２４３と、風呂水を燃焼装置２０２で生成された燃焼ガスと熱交換させて加熱する追い焚き側熱交換部２４４と、加熱された風呂水を追い焚き側熱交換部２４４から往き口２４５へ送る往き部２４６とを形成する配管から構成されている。風呂ポンプ２４１は、追い焚き流路２０４のうち戻り部２４３に設けられている。    
【００４２】
ドレン回収機構２０７は、給湯側熱交換部２３３および追い焚き側熱交換部２４４で生じた排ガス中の水蒸気が凝集した凝集水が流れるドレン排水路２５０と、凝集水を中和するための中和器２４７と、中和された凝集水を一時貯留するドレンタンク２４８と、ドレンタンク２４８に貯留された凝集水をドレン排出口２５１から外部へ排出するためのドレンポンプ２４９とを備えている。    
【００４３】
送風機２２２、風呂ポンプ２４１およびドレンポンプ２４９は、駆動部としてＤＣモータを備えている。風呂ポンプ２４１およびドレンポンプ２４９は、配管に熱媒体を流通させるための圧送ポンプとして構成され、ＤＣ１４１Ｖを含む所定の動作許容電圧範囲を有している。
【００４４】
コントローラ２０５は、制御装置２０８およびスイッチング電源装置２０６（以下、単に「電源装置２０６」と表すことがある）を含んでいる。制御装置２０８は、ＣＰＵ、ＲＯＭ、およびＲＡＭ等で構成されたマイクロコントローラや集積回路を備えている。制御装置２０８には、送風機２２２、風呂ポンプ２４１およびドレンポンプ２４９をはじめとする各電装品等との間に、各電装品等を制御する信号経路（図示略）が設けられている。コントローラ２０５は、制御装置２０８に記憶された制御プログラムに従って給湯装置２０１の各種制御を実行する。制御プログラムには、各電装品の運転に関する各種プログラムが含まれており、これらのプログラムに基づいて各電装品の制御が行われる。    
【００４５】
コントローラ２０５には、図示されない外部電源（図１に示す交流電源１）から電力が供給され、電源装置２０６によって、この給湯装置２０１で用いられる電源（例えば各ポンプを駆動するＤＣ１４１Ｖ電源やその他の機器を駆動するＤＣ１５Ｖ電源等）が生成される。電源装置２０６により必要に応じた電圧に変換されて、制御装置２０８や、燃焼装置２０２、送風機２２２、風呂ポンプ２４１、ドレンポンプ２４９、各種電磁弁、各種センサ等の各電装品へ供給される。電源装置２０６は、上記実施の形態で説明した電源装置１０，１０Ｂ，１０Ｃ，１０Ｄの何れかが適用される。コントローラ２０５は、電源装置２０６の電源制御部として機能する。
【００４６】
平滑コンデンサ４により生成される第１出力電圧Ｖ１に基づく電力は、風呂ポンプ２４１およびドレンポンプ２４９の駆動用回路へ供給される。また、コンバータ５により降圧された後の出力コンデンサ６により生成される第２出力電圧Ｖ２に基づく電力は、送風機２２２の駆動用回路、制御装置２０８等へ供給される。給湯装置２０１において、コンバータ５は、制御装置２０８等の操作部（図示せず）と接続される回路要素に電力を与える絶縁型の第１変圧部を備えている。この場合、コンバータ５の回路要素としてトランスが用いられ、操作部（図示せず）との絶縁性が確保される。さらに、コンバータ５は、送風機２２２の駆動用回路等に電力を与える非絶縁型の第２変圧部を備え得る。この場合、切替回路９，９Ｃのコイル部９ｂは、第１変圧部の出力コンデンサに設けられていてもよいし、第２変圧部の出力コンデンサに設けられていてもよい。
【００４７】
図７は本実施の形態における電源装置が適用される給湯装置の他の一例を示す作動原理図である。図７に示す給湯装置３０１において図６に示す給湯装置２０１と同じ構成については同じ符号を付し、説明を省略する。図７に示す給湯装置３０１は、図６に示す給湯装置２０１の給湯機能および風呂の追い焚き機能に加えて温水暖房機能を備えた多機能型の給湯装置である。なお、図７においてはドレン回収機構の図示を省略している。また、図７においても図６と同様に、各種センサ、浴槽注湯路、および注湯開閉弁の図示を省略している。    
【００４８】
給湯装置３０１は、図６の給湯装置２０１の追い焚き流路２０４に代えて、暖房流路３０４が設けられている。暖房流路３０４には暖房ポンプ３４１が設けられる。暖房流路３０４は、ファンコンベクタや床暖房機器等の暖房機器（図示せず）からの熱媒体を戻り口３４２から後述する暖房側熱交換部３４４へ送る戻り部３４３と、熱媒体を燃焼装置２０２で生成された燃焼ガスと熱交換させて加熱する暖房側熱交換部３４４と、加熱された熱媒体を暖房側熱交換部３４４から往き口３４５へ送る往き部３４６とを形成する配管から構成されている。暖房ポンプ３４１は、暖房流路３０４のうち戻り部３４３に設けられている。
【００４９】
さらに、暖房流路３０４には、暖房側熱交換部３４４で加熱された熱媒体を往き部３４６から分岐させる分岐路３４７が設けられている。分岐路３４７は、戻り部３４３にバイパスされている。
【００５０】
給湯装置３０１は、暖房流路３０４の分岐路３４７における配管に設けられた液液熱交換部３４８で風呂水を熱交換させて加熱する追い焚き流路３０５を備えている。追い焚き流路３０５は、風呂水を戻り口３４９から液液熱交換部３４８へ送る戻り部３５０と、上記液液熱交換部３４８と、加熱された風呂水を液液熱交換部３４８から往き口３５１へ送る往き部３５２とを形成する配管から構成されている。追い焚き流路３０５の戻り部３５０には、風呂ポンプ３５３が設けられている。また、分岐路３４７には、風呂水の追い焚きを行うときに開放される、図示しない電磁弁（追い焚き弁ともいう）を備えている。
【００５１】
以上説明したような何れの給湯装置２０１，３０１においても、本実施の形態における電源装置１０を給湯装置２０１，３０１の電源装置２０６として用いることにより、簡単な構成で、高調波電流を抑制しつつ、電源投入時における整流平滑回路に印加される電圧の上昇を抑制することができる。
【産業上の利用可能性】
【００５２】
本発明の電源装置および給湯装置は、簡単な構成で、高調波電流を抑制しつつ、電源投入時における整流平滑回路に印加される電圧の上昇を抑制するために有用である。
【符号の説明】
【００５３】
１  交流電源
２  整流平滑回路
３  ブリッジダイオード
４  平滑コンデンサ
７  リアクタ
８，８Ｃ，８Ｄ  リアクタバイパス経路
９，９Ｃ  切替回路
１０，１０Ｂ，１０Ｃ，１０Ｄ，２０６  電源装置
１１  抵抗
３１  交流入力部
３２  直流出力部
９１  第１接点
９２  第２接点
９３  第３接点
２０１，３０１  給湯装置
【図１】
0006631188.tif 000002
【図２】
0006631188.tif 000003
【図３】
0006631188.tif 000004
【図４】
0006631188.tif 000005
【図５】
0006631188.tif 000006
【図６】
0006631188.tif 000007
【図７】
0006631188.tif 000008